(57)【特許請求の範囲】
【請求項１】
端子ケースを有する半導体装置において、
外部端子と、該外部端子の接続部に接続する内部端子で構成される外部導出端子と、前  記外部端子が固定される上側の垂直樹脂部と該上側の垂直樹脂部に接続し前記内部端子  を溝に埋設する水平樹脂部と、該水平樹脂部に接続する下側の垂直樹脂部とを備える半  導体装置であって、
前記内部端子の上面の一部が前記水平樹脂部に接続する樹脂固定部で被覆され、前記  接続部側とは反対の内部端子の長手方向の先端面が、露出した切断面であり、
前記内部端子の前記先端面から接続部に向かってＬ状段差部が配置され、前記Ｌ状段差部に前記樹脂固定部が配置され、前記内部端子の露出した上面より前記樹脂固定部の上面が突出していることを特徴とする半導体装置。
【請求項２】
端子ケースを有する半導体装置において、
外部端子と、該外部端子の接続部に接続する内部端子で構成される外部導出端子と、前 記外部端子が固定される上側の垂直樹脂部と該上側の垂直樹脂部に接続し前記内部端子 を溝に埋設する水平樹脂部と、該水平樹脂部に接続する下側の垂直樹脂部とを備える半 導体装置であって、
前記内部端子の上面の一部が前記水平樹脂部に接続する樹脂固定部で被覆され、前記 接続部側とは反対の内部端子の長手方向の先端面が、露出した切断面であり、
前記内部端子の短手方向に凹部が配置され、前記凹部に前記樹脂固定部が配置され、  前記内部端子の露出した上面より前記樹脂固定部の上面が突出していることを特徴とす  る半導体装置。
【請求項３】
前記請求項１または２に記載の半導体装置の製造方法において、
前記外部導出端子の内部端子に接続する端子連結部を有するリードフレームを金型に 配置する工程と、
前記金型に液状の樹脂を注入し、該液状の樹脂を硬化させ、樹脂固定部を有するリー ドフレーム構造体を形成する工程と、
前記リードフレーム構造体を前記金型から取り出す工程と、
前記端子連結部を切断し、端子ケースを形成する工程と、
を含むことを特徴とする半導体装置の製造方法。
【請求項４】
前記請求項１に記載の半導体装置の製造方法において、
前記外部導出端子の内部端子に接続する端子連結部を有するリードフレームを金型 に配置する工程と、
前記金型に液状の樹脂を注入し、該液状の樹脂を硬化させ、樹脂固定部を有するリ ードフレーム構造体を形成する工程と、
前記リードフレーム構造体を前記金型から取り出す工程と、
前記端子連結部を切断し、端子ケースを形成する工程と、
を含み、
前記内部端子と前記端子連結部に連続する一つの凹部を形成し、前記凹部を前記樹脂 固定部となる樹脂で充填し、前記凹部に充填された前記樹脂と前記凹部下の前記リード フレームを同時に切断することを特徴とする半導体装置の製造方法。
【請求項５】
前記請求項２に記載の半導体装置の製造方法において、
前記外部導出端子の内部端子に接続する端子連結部を有するリードフレームを金型 に配置する工程と、
前記金型に液状の樹脂を注入し、該液状の樹脂を硬化させ、樹脂固定部を有するリ ードフレーム構造体を形成する工程と、
前記リードフレーム構造体を前記金型から取り出す工程と、
前記端子連結部を切断し、端子ケースを形成する工程と、
を含み、
前記内部端子の短手方向に凹部を形成し、前記凹部を前記樹脂固定部となる樹脂で充 填し、前記凹部が形成されていない前記端子連結部側のリードフレームを切断すること を特徴とする半導体装置の製造方法。
【発明の詳細な説明】
【技術分野】
【０００１】
この発明は、半導体装置およびその製造方法に関する。
【背景技術】
【０００２】
図２０は、従来のＩＧＢＴモジュール９００の構成図である。図２０（ａ）は上面図である。図２０（ｂ）は図２０（ａ）のＸ−Ｘ線で切断した断面図である。ここでは上部の蓋と内部に充填されるゲルは図示していない。
【０００３】
ＩＧＢＴモジュール９００は、放熱板５１と、放熱板５１上にはんだ５２で固着した絶縁基板５３と、絶縁基板５３上にはんだ５４で固着した半導体素子５５を備える。また、放熱板５１上に接着剤５６で固着したインサート端子ケース５７と、インサート端子ケース５７、半導体素子５５および絶縁基板５３に固着するボンディングワイヤ５８を備える。インサート端子ケース５７は樹脂ケース５９と外部導出端子６０で構成される。外部導出端子６０は内部端子６１（インナーリード）と内部端子６１に直角に接続する外部端子６２（アウターリード）で構成される。樹脂ケース５９の内壁５９ａはＬ状になっており、樹脂ケース５９は上側の垂直樹脂部６３（以下、単に垂直樹脂部と称す）とこれに繋がる水平樹脂部６４および下側の垂直樹脂部６５で構成される。外部端子６２は先端を露出して垂直樹脂部６３にインサートされ、内部端子６１は水平樹脂部６４に形成された溝６６に表面を露出して埋設される。内部端子６１の表面６１ａと水平樹脂部６４の表面６４ａは段差がなく平坦であることが望ましいが、段差はあってもよい。この露出した内部端子６１の表面６１ｂに配線となるボンディングワイヤ５８を超音波ボンディングで接合する。また、放熱板５１は接着剤５６で下側の垂直樹脂部６５に固着する。
【０００４】
インサート端子ケース５７は、金型にリードフレーム７０を配置し、射出成型により樹脂ケース５９にリードフレーム７０をインサートさせ、不要な端子連結部７１を切り離して形成する。この端子連結部７１は内部端子６１を連結する部分である。
【０００５】
図２１は、リードフレーム７０から端子連結部７１を切り離す様子を示す説明図である。図２１は図２０（ｂ）のＢ部拡大図である。図２１（ａ）は切り離し前の図である。図２１（ｂ）は切り離した後の図である。
【０００６】
上部支持体８５に下方の加圧力ＦPを加え、上部支持体８５と下部支持体８７でリードフレーム７０と水平樹脂部６４を挟み込む。続いて、樹脂ケース５９とリードフレーム７０に固定されている樹脂ケース５９の水平樹脂部６４から突出している端子連結部７１を上方に向かって切断刃８６をＧ方向に移動させてリードフレーム７０から端子連結部７１を切り離す。タイバーカットの切断刃８６を下方から上方に向かってＧ方向に移動させた方が、切断刃８６の位置決めが水平樹脂部６４の側壁６４ａを基準に下部支持体８６を介して行われるため、上方から下方に向かって移動させる場合より、内部端子６１の先端６１ａ（切断個所Ｖ）と水平樹脂部６４の側壁６４ａの間の距離Ｊ１を短くすることができる。さらに、上部支持体８５で平坦な内部端子６１の表面６１ｂを押さえ込めるので好ましい。なお、端子連結部を切断することをタイバーカットと呼ぶ。
【０００７】
また、特許文献１では、インサート端子ケースを構成する内部端子にボンディングワイヤを超音波接合するときに、ボンダーを移動させる時にボンンディングワイヤに引っ張られて内部端子が移動したり、内部端子が樹脂ケースから浮き上がって超音波ボンディング不良を起こしたりすることを防止する構造が記載されている。
【先行技術文献】
【特許文献】
【０００８】
【特許文献１】特開２０００−３３２１７９号公報
【発明の概要】
【発明が解決しようとする課題】
【０００９】
図２２は、上部支持体８５による加圧力ＦPが不十分な状態でタイバーカットしたときの図である。加圧力ＦPが不十分な状態とは、上部支持体８５が内部端子６１に接触しているが加圧力ＦPが小さい場合を指す。上部支持体８５による加圧力ＦPが不十分な場合、切断刃８６による上へ持ち上げる力によって、上部支持体８５が上方のＥ方向に持ち上げられ、変形してしまう。そして、内部端子６１の先端６１ａ近傍が水平樹脂部６４から剥離して、超音波ボンディング個所での内部端子６１下に１０μｍ程度の隙間Ｔが生じる場合がある。
【００１０】
図２３は、図２２のような状態で、内部端子にワイヤボンディングを行ったときの説明図である。
【００１１】
内部端子下に隙間Ｔが存在すると、超音波ボンディング時のワイヤ荷重Ｆ（ヘッド９０を介してワイヤ５８が内部端子６１を押さえつける力）が十分に内部端子６１に加わらず、超音波振動が内部端子６１に伝達されないため、ワイヤ接合性が低下する。ワイヤ接合性の低下は、製品寿命を低下させることから、内部端子６１下に隙間Ｔが発生しないようにする必要がある。
【００１２】
また、特許文献１では、ボンディング時の内部端子の移動を防止する方策を記載したものであり、内部端子の先端を樹脂で被覆して内部端子が移動しないように樹脂ケースに固定されている。これは、内部端子と端子連結部の境界部を切断した後で、内部端子を樹脂ケースに固定した場合である。そのため、内部端子を樹脂ケースに固定した後で、端子連結部を内部端子から切り離す工程で生じる内部端子下の隙間の問題については何ら記載されていない。
【００１３】
この発明の目的は、前記の課題を解決して、内部端子と端子連結部の切り離しにおいて、内部端子下の隙間の発生を抑制した半導体装置およびその製造方法を提供することである。
【課題を解決するための手段】
【００１４】
前記の目的を達成するために、本発明は、端子ケースを有する半導体装置において、外部端子、該外部端子の接続部に接続する内部端子で構成される外部導出端子と、前記外部端子が固定される上側の垂直樹脂部と該上側の垂直樹脂部に接続し前記内部端子を溝に埋設する水平樹脂部と、該水平樹脂部に接続する下側の垂直樹脂部とを備える半導体装置であって、前記内部端子の上面の一部が前記水平樹脂部に接続する樹脂固定部で被覆され、前記接続部側とは反対の内部端子の長手方向の先端面が露出した切断面である構成とする。
【００１５】
また、前記内部端子の前記先端面から前記接続部側に向かってＬ状段差部が配置され、前記Ｌ状段差部に前記樹脂固定部が配置され、前記内部端子の露出した上面と前記樹脂固定部の上面が平坦に接続すると好ましい。
【００１６】
また、前記内部端子の先端面から前記外部端子に向かってＬ状段差部が配置され、前記Ｌ状段差部に前記樹脂固定部が配置され、前記内部端子の露出した上面より前記樹脂固定部の上面が突出していると好ましい。
【００１７】
また、前記内部端子の短手方向に凹部が配置され、前記凹部に前記樹脂固定部が配置され、前記内部端子の露出した上面と前記樹脂固定部の上面が平坦に接続すると好ましい。
【００１８】
また、前記内部端子に凹部が配置され、前記凹部に前記樹脂固定部が配置され、前記内部端子の露出した上面より前記樹脂固定部の上面が突出していると好ましい。
【００１９】
また、前記内部端子の露出した上面が平坦であり、前記内部端子上面に前記樹脂固定部が配置されると好ましい。
【００２０】
また、前記した半導体装置の製造方法において、前記外部導出端子の前記内部端子に接続する端子連結部を有するリードフレームを金型に配置する工程と、前記金型に液状の樹脂を注入し、該液状の樹脂を硬化させ、樹脂固定部を有するリードフレーム構造体を形成する工程と、前記リードフレーム構造体を前記金型から取り出す工程と、前記端子連結部を切断し、端子ケースを形成する工程と、を含む製造方法とする。
【００２１】
また、前記内部端子と前記端子連結部に連続する一つの凹部を形成し、前記凹部を前記樹脂固定部となる樹脂で充填し、前記凹部に充填された前記樹脂と前記凹部下の前記リードフレームを同時に切断する製造方法とする。
【００２２】
また、前記内部端子の短手方向に凹部を形成し、前記凹部を前記樹脂固定部となる樹脂で充填し、前記凹部が形成されていない前記端子連結部側のリードフレームを切断する製造方法とする。
【００２３】
また、前記内部端子と前記端子連結部に連続する平坦な個所の上面に前記樹脂固定部なる樹脂を形成し、前記樹脂と前記樹脂下の前記リードフレームを同時に切断する製造方法とする。
【００２４】
また、前記内部端子の平坦な上面に、短手方向に前記樹脂固定部となる樹脂を形成し、前記樹脂が形成されていない前記端子連結部側のリードフレームを切断する製造方法とする。
【発明の効果】
【００２５】
この発明によれば、内部端子と端子連結部の切り離しにおいて、内部端子下の隙間の発生を抑制することができる。
【図面の簡単な説明】
【００２６】
【図１】この発明に係る第1の実施の形態の半導体装置１００の製造工程図である。
【図２】図１に続く、製造工程図である。
【図３】図２に続く、製造工程図である。
【図４】図３に続く、製造工程図である。
【図５】図４に続く、製造工程図である。
【図６】図５に続く、製造工程図である。
【図７】上部支持体による加圧が不十分な場合の説明図である。
【図８】この発明に係る第２の実施の形態の半導体装置３００の製造工程図である。
【図９】この発明に係る第３の実施の形態の半導体装置４００の製造工程図である。
【図１０】タイバーカット装置８００の構成図である。
【図１１】この発明に係る第１の半導体装置１００の構成図であり、（ａ）は上面図、（ｂ）は（ａ）のＸ−Ｘ線で切断した断面図である。
【図１２】この発明に係る第１の半導体装置１００の構成図であり、（ａ）は図１１（ａ）のＡ部拡大平面図、（ｂ）は図１１（ｂ）のＡ部拡大断面図、（ｃ）は図１２（ｂ）を矢印Ｂから見た拡大斜視図である。
【図１３】この発明に係る第２の半導体装置２００の構成図である。（ａ）は上面図、（ｂ）は（ａ）のＸ−Ｘ線で切断した断面図である。
【図１４】この発明に係る第３の半導体装置３００の構成図であり、（ａ）は上面図、（ｂ）は（ａ）のＸ−Ｘ線で切断した断面図である。
【図１５】図１４の変形例を示す断面図であり、（ａ）は凹部の形状が三角形（ｂ）は凹部の形状が台形、（ｃ）は凹部の形状が半円形である。
【図１６】この発明に係る第４の半導体装置４００の構成図であり、（ａ）は上面図であり、（ｂ）は（ａ）のＸ−Ｘ線で切断した断面図である。
【図１７】この発明に係る第５の半導体装置５００の構成図であり、（ａ）は上面図であり、（ｂ）は（ａ）のＸ−Ｘ線で切断した断面図である。
【図１８】この発明に係る第６の半導体装置６００の構成図であり、（ａ）は上面図、（ｂ）は（ａ）のＸ−Ｘ線で切断した断面図である。
【図１９】この発明に係る第７の半導体装置７００の構成図であり、（ａ）は上面図であり、（ｂ）は（ａ）のＸ−Ｘ線で切断した断面図である。
【図２０】従来のＩＧＢＴモジュール９００の構成図である。
【図２１】リードフレームから端子連結部を切り離す様子を示す説明図である。
【図２２】上部支持体による加圧力ＦPが不十分な状態でタイバーカットしたときの図である。
【図２３】図２２のような状態で、内部端子にワイヤボンディングを行ったときの説明図である。
【発明を実施するための形態】
【００２７】
（実施の形態）
図１〜図６は、この発明に係る第１の実施の形態の半導体装置１００の製造方法を示すものであり、工程順に示した製造工程図である。ここではインサート端子ケース７の形成方法を説明する。（  ）内の番号は工程順番を示す。
（１）図１に示すリードフレーム２０を準備する。図１はリードフレーム２０の構成図である。図１（ａ）は平面図である。図１（ｂ）は図１（ａ）のＸ−Ｘ線で切断した断面図である。リードフレーム２０は外部端子１２と、前記内部端子１１と、前記内部端子１１同士を接続する端子連結部２1を備える。前記外部端子１２と前記内部端子１１は接続部４０で繋がる。内部端子１１から端子連結部２１に向かってタイバーカットによる切断個所Ｖを挟んで凹部２２が形成されている。図１２（ｂ）に示すように、この凹部２２がL状段差部１７になり、切断個所Ｖが内部端子１１の先端１１ａとなる。また、凹部２２はプレス加工などで形成される。勿論、ローラーに凸部を設け、このローラーを用いて圧延して凹部を形成した板材（通常、異形条材と言われる板材）を用いても構わない。リードフレーム２０の材質は例えば銅であり、表面は例えばニッケルメッキが施されている。しかし、一般的に用いられる材料であれば、これに限定されるものではない。また、内部端子１１の幅Ｚ１は３ｍｍ程度であり、厚さＲ１は１ｍｍ程度であり、凹部２２の厚さＲ２は０．１から０．７ｍｍであり、好ましくは０．４から０．６ｍｍである。また、Ｒ１に対するＲ２の比（Ｒ２／Ｒ１）は０．１から０．７であり、好ましくは０．４から０．６である。この範囲において、タイバーカット時の内部端子の変形をより効果的に抑えることができる。また、リードフレーム２０を構成する端子連結部２１はタイバーカットで切り落とされる不要部分である。この端子連結部２１には多数の貫通孔２１ａが形成されていてもよい。この貫通孔２１ａは平板からリードフレーム２０を形成するときに形成される。前記貫通孔２１ａは、リードフレームの搬送や位置決めに用いられる。
【００２８】
つぎに、図２に示す樹脂成型用の金型２３を準備する。図２は断面図である。金型２３は上部金型２４と下部金型２５で構成される。下部金型２５には、外部端子１２が挿入される凹部２６が形成され、さらに、内部端子１１と端子連結部２１および凹部２２が埋設される凹部２７が形成されている。上部金型２４には水平樹脂部１４と下側の垂直樹脂部１５を形成するための凹部２８が形成されている。なお、前記水平樹脂部１４と下側の垂直樹脂部１５は図６に示した。上部部金型２４の注入口２９は、樹脂液３０を注型するのに用いられる。
（２）図３において、下部金型２５にリードフレーム２０を載置し、その後、上部金型２４を下部金型２５の上に載置する。リードフレーム２０の下部金型２５に対する位置決めは下部金型２５に形成された凹部２７にリードフレーム２０の端子連結部２１を勘合して行う。また、外部端子１２の先端１２ａは下部金型２５の凹部２６の先端２６ａに勘合され、位置決めとして利用される。図３はリードフレーム２０を金型２３に配設したときの構成図である。
（３）図４において、注入口２９から樹脂液３０を金型に注入し、温度２００℃程度で樹脂液３０を硬化させて、樹脂ケース９を形成する。図４は樹脂液３０を硬化させるときの説明図である。樹脂液３０としては例えば、ＰＰＳ（ポリフェニレンサルファド）樹脂などを用いる。
（４）図５において、樹脂ケース９が形成されたリードフレーム２０（以下、リードフレーム構造体３１と称す）を前記金型２３から取り出す。図５は金型２３からリードフレーム構造体３１を取り出した図である。図５（ａ）は平面図である。図５（ｂ）は図５（ａ）のＸ−Ｘ線で切断した断面図である。点線で示す切断個所Ｖは内部端子１１と端子連結部２１はリードフレーム２０の凹部２２に設けられる。この凹部２２に樹脂固定部１８となる樹脂３９が埋設される。なお、図１２等に示すように、内部端子１１の表面１１ｂと水平樹脂部１４の表面１４ｂは同一高さであることが好ましい。しかしながら、前記内部端子１１の表面１１ｂが水平樹脂部１４の表面１４ｂより高くても低くてもかまわない。
（５）図６において、樹脂ケース９から露出した前記端子連結部２１と接続する内部端子１１の先端１１ａとなる点線Ｖの位置で切断し、リードフレーム構造体３１からインサート端子ケース７を形成する。切断はタイバーカットで行う。タイバーカットとは、内部端子１１と端子連結部２１(図５参照)が複数個所で繋がれ、その複数の繋がれた個所（タイバー）を同時に切断する場合をいう。
【００２９】
上部支持体３５で、内部端子１１をＰ方向に押える。この押える力をＦPとする。上部支持体３５の側面３５ａは水平樹脂部１４の先端１４ａ付近上に配置されるのが好ましく、タイバーカットの切断刃３６による切断個所Ｖに近接して配置する。なお、前記切断刃には、ハイス鋼やタングステンカーバイドなどの超硬合金が用いられる。
【００３０】
切断は主に切断刃３６によるせん断応力によって行われる。しかし、樹脂固定部１８があることにより、切断刃３６から受ける上方の力でリードフレーム２０の切断個所Ｖ付近を浮き上がらないようにすることができる。タイバーカットは水平樹脂部１４の裏面から表面の方向に下部支持体３７の側壁３７ａに沿ってＧ方向に切断刃３６を移動させて行う。前記下部支持体３７は位置を変えることができ、下部支持体３７の側壁３７ａから水平樹脂部の先端１４ａまでの距離を変えることができる。下部支持体３７の側壁３７aを基準として切断刃３６を位置決めすることで、後述の図１２（ｂ）に示す距離Ｊを小さくすることができる。距離Ｊは、切断個所Ｖから水平樹脂部の先端１４ａまでの距離である。そして、下部支持体３７の側壁３７ａから水平樹脂部の先端１４ａまでの距離を小さくすることで、距離Ｊを小さくすることができるのである。
【００３１】
また、図６はタイバーカットの様子を示す説明図である。図６（ａ）はタイバーカット前の断面図である。図６（ｂ）はタイバーカット後の断面図である。図６（ｃ）はタイバーカット後のインサート端子ケース７の平面図である。下部支持体３７はリードフレーム構造体３１の樹脂ケース９を載置する支持台と切断刃３６の位置決めに利用される。また、全体を上下逆にして、切断刃３６を上方から下方に移動させて切断する場合もある。この場合は下側に位置する前記の上部押さえ部材３５に内部端子１１の表面１１ｂが載置される。
【００３２】
前記した（５）の工程において、内部端子１１に先端１１ａから内側に向かって薄い個所（凹部２２）に樹脂固定部１８となる樹脂３９を配置することで、内部端子１１はこの樹脂３９により固定される。そのため、タイバーカット時に上部支持体３５の加圧力ＦPが不十分であっても内部端子１１下の隙間の発生は抑制される。その結果、ワイヤ接合性を向上させることができる。なお、図１３に示す半導体装置２００を製造する場合等にも本製造方法が適用できる。
【００３３】
また、樹脂固定部１８の引っ張り強度が十分ある場合は、上部支持体３５で内部端子１１を十分な加圧力ＦPで押さえる必要が無く、極端な場合は図７に示すように隙間Ｍが空いていても構わない。上部支持体３５でリードフレームの多数の内部端子になる個所を同時に押さえる場合には加圧力ＦPにばらつきが発生して、極端な場合は隙間Ｍができることもある。この場合は樹脂３９で内部端子１１を押さえ、切断刃３６で内部端子１１が浮き上がるのを防止する。この場合の上部支持体３５の働きとしては、切断時のタイバーカットの切断刃３６が上方のＧ方向に移動するときの力を受け止めて、リードフレーム構造体３１が下部支持体３７から浮き上がるのを防止することが主である。従って、下部支持体３７にリードフレーム構造体３１を固定する作用がある場合には上部支持体３５は不要となる。
【００３４】
図８は、この発明に係る第２の実施の形態の半導体装置３００の製造工程図である。図８は、内部端子１１の切断の様子を示す説明図である。なお、前記半導体装置３００は図１４に示す。
【００３５】
第１の実施の形態との違いは、（１）の工程で、凹部２２を内部端子１１の先端１１ａから前記接続部４０側となる箇所に設けた点である。図６に示す（５）の工程では、凹部２２が形成されない内部端子１１の先端１１ａであって、樹脂固定部１８がない個所で切断する。前記凹部２２の、前記内部端子１１の先端１１ａ側の端部を２２ａとする。
【００３６】
切断する力に抗して、リードフレーム構造体３１が下部支持体３７から浮き上がるのを防止するには、前記先端１１ａから凹部２２の２２ａまでの距離は０．１ｍｍから３ｍｍが好ましく、より好ましくは０．１ｍｍから１ｍｍである。前記先端１１ａから凹部２２の２２ａまでの距離が短いと切断する力の曲げモーメントを小さくすることができるからである。樹脂固定部１８が設けられているため、従来の半導体装置に比べると隙間の発生は大幅に抑制される。また、リードフレーム２０のみを切断するので切断しやすいという利点がある。
【００３７】
図９は、この発明に係る第３の実施の形態の半導体装置４００の製造工程図である。前記半導体装置４００は図１６に示す。図９は下部金型２５の平面図である。
【００３８】
第１の実施の形態との違いは、（１）の工程で、下部金型２５に内部端子１１の先端１１ａ付近から端子連結部２１までに樹脂固定部１８となる樹脂を充填する凹部３３を設けた点である。凹部２２に対応するように凹部３３を形成する。この場合はこの樹脂固定部１８を形成する樹脂は内部端子１１の表面１１ｂから突出している。この内部端子１１の表面１１ｂから突出した高さは、高いほど、切断する力に抗することができる。しかし、高すぎるとボンディングワーヤーの障害になったり、上部支持体で内部端子を押えづらくなるなど不具合もあるため、０．１ｍｍから５ｍｍが好ましく、さらに好ましくは１ｍｍから２ｍｍである。
【００３９】
切断面としては樹脂固定部１８と水平樹脂部１４と内部端子１１それぞれの側面が露出し目視できる面である。仕上がりは図１６の半導体装置４００になる。なお、図１７の半導体装置５００を製造する場合等にも本実施例が適用できる。また、半導体装置６００，７００を製造する場合には、リードフレーム２０にＬ状段差部１７を形成しないものを用いる。
【００４０】
以下に半導体装置１００〜７００の製造装置であるタイバーカット装置８００について説明する。図１０は、タイバーカット装置８００の構成図である。タイバーカット装置８００は、点線で示す水平樹脂部１４の下部を押さえる下部支持体３７と、水平樹脂部１４のおもて側を押さえる上部支持体３５と、下部支持体３７の側壁３７ａに沿って移動するタイバーカットの切断刃３６を備える。また、図示しないが、各部材３５，３７および切断刃３６の位置決めする位置決め機構と、それぞれを移動させる移動機構を備える。
【００４１】
この製造装置８００を使ってタイバーカットする手順を説明する。リードフレーム構造体３１の樹脂ケース９を構成する水平樹脂部１４の下面を下部支持体３７上に載置する。続いて、上部支持体３５を下方のＮ方向に移動して、同一高さである内部端子１１の表面１１ｂと水平樹脂部１４の表面１４ｂに載置する。なお、前記内部端子１１の表面１１ｂと水平樹脂部１４の表面１４ｂは同一高さでなくともかまわない。前記内部端子１１の表面１１ｂが高い場合は、前記内部端子１１の表面１１ｂに上部支持体３５を載置する。続いて、上部支持体３５と下部支持体３７でリードフレーム構造体３１を構成する水平樹脂部１４と内部端子１１を挟み込み、上部支持体３５でリードフレーム構造体３１の内部端子１１を加圧する。続いて、下部支持体３７の側壁３７ａに沿って切断刃３６をＧ方向に向かって移動させ、リードフレームを切断する。そして、内部端子１１と端子連結部２１を切り離し、インサート端子ケース７を形成する
前記の実施の形態で説明した製造方法を用いて製造した半導体装置について説明する。
【００４２】
図１１および図１２は、この発明に係る第１の半導体装置１００の構成図である。図１１（ａ）は上面図である。図１１（ｂ）は図１１（ａ）のＸ−Ｘ線で切断した断面図である。図１２は、図１１（ａ）および図１１（ｂ）のＡ部拡大図である。図２２（ａ）は図２１（ａ）のＡ部拡大平面図である。図１２（ｂ）は図１１（ｂ）のＡ部拡大断面図である。図１２（ｃ）は図１２（ｂ）を矢印Ｂから見た拡大斜視図である。なお、図１２（ｂ）は図１２（ｃ）のＹ−Ｙ線で切断した断面図である。ここでは図１１において、上部の蓋と内部に充填されるゲルは図示されていない。
【００４３】
この半導体装置１００は、放熱板１と、放熱板１上にはんだ２で固着した絶縁基板３と、絶縁基板３上にはんだ４で固着した半導体素子５を備える。放熱板１上に接着剤６で固着したインサート端子ケース７と、インサート端子ケース７、半導体素子５および絶縁基板３等に固着するボンディングワイヤ８を備える。絶縁基板３は絶縁板と絶縁板の裏面の導電層、絶縁板のおもて面の回路配線層で構成される。また、インサート端子ケース７は樹脂ケース９と外部導出端子１０で構成される。外部導出端子１０は内部端子１１と内部端子１１に直角に接続する外部端子１２で構成される。樹脂ケース９の内壁９ａはＬ状になっており、樹脂ケース９は上側の垂直樹脂部１３（以下、単に垂直樹脂部と称す）とこれに繋がる水平樹脂部１４および下側の垂直樹脂部１５で構成される。
【００４４】
図１２（ｂ）に示すように、水平樹脂部１４の表面１４ｂでの長さＱは、例えば３ｍｍ程度である。垂直樹脂部１３には外部端子１２がインサートされ、水平樹脂部１４には溝１６が形成され、その溝１６に表面１１ｂを露出した内部端子１１が埋設される。内部端子１１の表面１１ｂと水平樹脂部１４の表面１４ｂは平坦にすること好ましい。しかしながら、前記内部端子１１の表面１１ｂが水平樹脂部１４の表面１４ｂより高くても低くてもかまわない。前記の放熱板１は接着剤６で下側の垂直樹脂部１５に固着する。また、水平樹脂部１４の先端１４ａから内部端子１１の先端１１ａまでの距離Ｊは０．１ｍｍから２ｍｍが好ましく、より好ましくは０．１ｍｍから０．５ｍｍである。この距離Ｊは水平樹脂部１４の先端１４ａを基準とした切断刃３６（図６参照）の位置決め精度に依存しており、位置決め精度が高くなると小さくできる。理想的には距離Jはゼロとするのがよい。
【００４５】
内部端子１１の先端１１ａ付近の上部には、先端１１ａから前記接続部４０へ向かって椅子型に段差が形成される。その段差が内部端子１１に形成したＬ状段差部１７であり、Ｌ状段差部１７に樹脂が充填される。この充填された樹脂は両側の樹脂ケース９を構成する水平樹脂部１４に繋がり樹脂固定部１８となる。この樹脂固定部１８は水平樹脂部１４と一体成型され、内部端子１１をしっかり固定する。この樹脂固定部１８の上面１８ｂと内部端子１１の上面１１ｂは平坦に接続する。また、樹脂固定部１８の断面形状はここでは四角形である。ここでは、樹脂固定部１８は内部端子１１を幅方向に被覆する樹脂のことを指す。
【００４６】
また、内部端子１１の先端１１ａは切断面であり、この切断面は樹脂固定部１８の側面１８ａとなる切断面でもある。そのため、内部端子１１の先端１１ａと樹脂固定部１８の側壁１８ａは一致する。また、切断面での内部端子１１の厚さＲ２は、Ｌ状段差部１７を形成しているため、内側の内部端子１１の厚さＲ１より薄くなっている。
【００４７】
また、下部金型２５(図２参照)で内部端子１１上面を押さえ、Ｌ状段差部１７上を下部金型２５で蓋をする状態となるために、内部端子１１の表面１１ｂとＬ状段差部１７に充填された樹脂固定部１８の上面１８ｂは前記したように平坦にすることができる。
【００４８】
また、内部端子１１の先端に樹脂固定部１８を形成することで、内部端子１１が樹脂固定部１８で固定される。そのため、内部端子１１下の隙間の発生は抑制される。その結果、ワイヤ接合性が向上する。
【００４９】
樹脂固定部１８の厚さＲ３は、タイバーカット時の切断刃３６による内部端子１１に加わる上へ持ち上げる力に、上部支持体３５の加圧力ＦP（図６参照）を合わせて、耐える厚さにすることができる。切断個所Ｖでの内部端子１１の厚みＲ２と樹脂固定部１８の厚さＲ３（Ｌ状段差部１７の段差の高さ）を同程度にすると好ましい。Ｒ３を大きくすると、切断する力に抗することはできるが、Ｒ２を薄くしすぎると内部端子１１としての強度が低下する。また、電気抵抗も増加する。そこで、内部端子１１の厚みＲ２は０．１から０．７ｍｍが好ましく、より好ましくは０．４から０．６ｍｍである。また、Ｒ１に対するＲ２の比（Ｒ２／Ｒ１）は０．１から０．７であり、好ましくは０．４から０．６である。この範囲において、タイバーカット時の内部端子の変形を抑えることができる。内部端子１１の長さＱは２ｍｍから５０ｍｍまでが好ましいが、これに限定されるものではない。
【００５０】
また、樹脂固定部１８の幅Ｗは広い程、切断する力に抗することができる。しかし、広くなりすぎると、内部端子の電気抵抗が増加する。また、ワイヤボンディングする部分の長さＫが短くなるので、樹脂固定部１８の幅Ｗは０．５ｍｍから３ｍｍが好ましく、より好ましくは１ｍｍから２ｍｍである。ワイヤボンディングができる領域を確保するために、この樹脂固定部１８のＷは内部端子１１の長さの１／３程度以下とするとよい。内部端子の１１の長さが４ｍｍで、内部端子１１の先端１１aと垂直樹脂部１３の内側壁１３ａの間の距離Ｑを３ｍｍ程度にすると、ワイヤボンディングする個所の長さＫは２ｍｍ程度（Ｑ−Ｗ＝３ｍｍ−１ｍｍ）になり、ボンディングする面積が確保される。そして、樹脂固定部１８を形成することで、切断刃３６による内部端子１１の上方への持ち上げが防止され、内部端子１１下の隙間（図２２の隙間Ｔに相当する隙間のこと）の発生を抑制できる。
【００５１】
また、タイバーカットの個所では内部端子１１の厚さＲ２が薄くなっているので、切断時間が短く、切断刃３６によって内部端子１１を持ち上げようとする力が働く時間は短くなる。そのため、Ｌ状段差部１７を形成しない厚い内部端子１１（例えば、図２１参照）の場合に比べて、内部端子１１下の隙間の発生は抑制される。
【００５２】
図１３は、この発明に係る第２の半導体装２００の構成図である。図１３（ａ）は上面図である。図３（ｂ）は図１３（ａ）のＸ−Ｘ線で切断した断面図である。図１３は図１２に相当する図である。
【００５３】
図１１および図１２で示す半導体装置１００との違いは、Ｌ状段差部１７で樹脂固定部１８が内部端子１１の途中まで形成され、先端１１ａ付近が露出している点である。樹脂固定部１８の側壁１８ａは水平樹脂部１４の先端１４ａに一致させてもよい。ダイバーカットは樹脂固定部１８から離れた内部端子１１の薄い個所で行われる。この場合は内部端子１１のみの切断となるので、切断時間が短くなり、隙間の発生は抑制される。内部端子１１の先端１１ａから樹脂固定部１８の側壁１８ａまでの、内部端子１１が露出している長さは、短い方がよく、０．１ｍｍから1ｍｍが好ましい。より好ましくは０．１ｍｍから０．５ｍｍである。
【００５４】
図１４は、この発明に係る第３の半導体装置３００の構成図である。図４（ａ）は上面図である。図１４（ｂ）は図１４（ａ）のＸ−Ｘ線で切断した断面図である。図１４は図１２に相当する図である。
【００５５】
図１１および図１２で示す半導体装置１００との違いは、内部端子１１の先端１１ａより前記接合部４０側に距離Ｓの所に凹部２２を形成し、この凹部２２に樹脂を充填して樹脂固定部１８とした点である。内部端子１１の長手方向の、凹部２２の断面形状は四角形である。また、樹脂固定部１８の幅Ｕは０．５ｍｍから３ｍｍがよく、より好ましくは１ｍｍから２ｍｍである。また、前記先端１１ａから凹部２２の２２ａまでの距離Ｓは０．１ｍｍから２ｍｍが好ましく、より好ましくは０．１ｍｍから１ｍｍである。また、ワイヤボンディングができる領域を確保するために、この樹脂固定部１８の幅Ｕと前記距離Ｓを足した長さは、内部端子１１の長さの１／３程度以下とするとよい。
【００５６】
また、図１４において、凹部２２に充填した樹脂を内部端子１１の表面１１ｂから突出させて樹脂固定部１８を形成する場合もある。この場合、この内部端子１１の表面１１ｂから突出した高さは、高いほど、切断する力に抗することができる。しかし、高すぎるとボンディングワーヤーの障害になったり、上部支持体で内部端子を押えづらくなるなど不具合もあるため、０．１ｍｍから５ｍｍが好ましく、さらに好ましくは１ｍｍから２ｍｍである。このように、樹脂固定部１８を形成することで、切断刃３６による内部端子１１の上方への持ち上げが防止され、内部端子１１下の隙間（図２２の隙間Ｔに相当する隙間のこと）の発生を抑制できる。
【００５７】
図１５は、図１４の凹部２２に形成される樹脂固定部１８の断面形状の変形例を示す断面図である。図１５（ａ）は三角形である。図１５（ｂ）は台形である。図１５（ｃ）は半円形である。いずれの場合も樹脂固定部１８の引っ張り強度を１ＭＰａ以上にするとよい。
【００５８】
図１６は、この発明に係る第４の半導体装置４００の構成図である。図１６（ａ）は上面図である。図１６（ｂ）は図１６（ａ）のＸ−Ｘ線で切断した断面図である。図１６は図１２に相当する図である。
【００５９】
図１１および図１２に示す半導体装置１００との違いは、樹脂固定部１８が内部端子１１の表面１１ｂより突出している点である。この内部端子１１の表面１１ｂから突出した高さは、高いほど、切断する力に抗することができる。しかし、高すぎるとボンディングワーヤーの障害になったり、上部支持体で内部端子を押えづらくなるなど不具合もあるため、０．１ｍｍから５ｍｍが好ましく、さらに好ましくは１ｍｍから２ｍｍである。半導体装置１００と比べて樹脂固定部１８の厚さが厚くなるので、切断する力に抗する力は半導体装置１００に比べて強くできる。従って、隙間の発生を抑制できる。樹脂固定部１８側壁１８ａと内部端子１１の先端１１ａはタイバーカットの切断面である。
【００６０】
また、この樹脂固定部１８の幅Ｗは、０．５ｍｍから３ｍｍが好ましく、より好ましくは１ｍｍから２ｍｍであり、ワイヤボンディングができる領域を確保するために、、内部端子１１の長さの１／３程度以下とするとよい。
【００６１】
図１７は、この発明に係る第５の半導体装置５００の構成図である。図１７（ａ）は上面図である。図１７（ｂ）は図１７（ａ）のＸ−Ｘ線で切断した断面図である。図１７は図１２に相当する図である。
【００６２】
図１７の樹脂固定部１８は、内部端子１１の先端１１ａから前記接続部側に距離Ｓ離れた個所に設けられる。図１６で示す半導体装置４００との違いは、樹脂固定部１８の表面の幅Ｗ２が内部端子１１に埋没している箇所の幅Ｗ１より広くなっている点である。この突出してる部分の幅Ｗ２は凹部２２の幅Ｗ１より広く突出部分が庇になる。そのため、内部端子１１を押さえ込む力が大きくなり、内部端子１１が上方へ変形する力を押さえ込むので、前記隙間Ｔの発生が抑えられる。さらに、Ｗ１とＷ２が同じ場合に比べて、Ｗ２を小さくできるため、内部端子１１としての強度を向上することができる。Ｗ１は０．５ｍｍから３ｍｍが好ましく、より好ましくは１ｍｍから２ｍｍである。また、Ｗ２とＷ１の比（Ｗ２／Ｗ１）は０．２から０．８が好ましく、より好ましくは０．４から０．６である。また、前記先端１１ａからの距離Ｓは０．１ｍｍから２ｍｍが好ましく、より好ましくは０．１ｍｍから１ｍｍである。また、ワイヤボンディングができる領域を確保するために、この樹脂固定部１８の幅Ｗと前記Ｓを足した長さは、内部端子１１の長さの１／３程度以下とするとよい。
【００６３】
図１８は、この発明に係る第６の半導体装置６００の構成図である。図１８（ａ）は上面図である。図１８（ｂ）は図１８（ａ）のＸ−Ｘ線で切断した断面図である。図１８は図１２に相当する図である。
【００６４】
図１１および図１２に示す半導体装置１００との違いは、内部端子１１にＬ状段差部１７を形成しないで樹脂固定部１８が内部端子１１の先端１１ａ付近で内部端子１１の表面１１ｂより突出している点である。この内部端子１１の表面１１ｂから突出した高さは、高いほど、切断する力に抗することができる。しかし、高すぎるとボンディングワーヤーの障害になったり、上部支持体で内部端子を押えづらくなるなど不具合もあるため、０．１ｍｍから５ｍｍが好ましく、さらに好ましくは１ｍｍから２ｍｍである。また、図１８の樹脂固定部の幅Ｗは０．５ｍｍから３ｍｍが好ましく、より好ましくは１ｍｍから２ｍｍである。切断個所Ｖでの内部端子１１が厚いので変形が起こり難くなり、樹脂固定部１８の厚さを厚くすることができるで、前記隙間Ｔの発生を抑制することができる。切断面では内部端子１１の先端１１ａと樹脂固定部１８の側壁１８ａが露出し目視できる。
【００６５】
また、ワイヤボンディングができる領域を確保するために、この樹脂固定部１８は内部端子１１の長さの１／３程度以下の個所に配置するとよい。
【００６６】
図１９は、この発明に係る第７の半導体装置７００の構成図である。図１９（ａ）は上面図である。図１９（ｂ）は図１９（ａ）のＸ−Ｘ線で切断した断面図である。図１９は図１２に相当する図である。
【００６７】
図１８に示す半導体装置６００との違いは、内部端子１１の先端１１ａより前記接合部４０側で、先端１１ａから距離Ｓの所に樹脂固定部１８を形成した点である。前記距離Ｓは０．１ｍｍから３ｍｍが好ましく、より好ましくは０．１ｍｍから１ｍｍである。この内部端子１１の表面１１ｂから突出した高さは、高いほど、切断する力に抗することができる。しかし、高すぎるとボンディングワーヤーの障害になったり、上部支持体で内部端子を押えづらくなるなど不具合もあるため、０．１ｍｍから５ｍｍが好ましく、さらに好ましくは１ｍｍから２ｍｍである。また、図１９の樹脂固定部の幅Ｗは０．５ｍｍから３ｍｍが好ましく、より好ましくは１ｍｍから２ｍｍである。内部端子１１の先端１１ａが切断面として露出し目視できる。切断個所Ｖでの内部端子１１が厚いので変形が起こり難くなり、樹脂固定部１８の厚さを厚くすることができるで、前記隙間Ｔの発生を抑制することができる。
【符号の説明】
【００６８】
１    放熱板
２    はんだ
３    絶縁基板
４    はんだ
５    半導体素子
６    接着剤
７    インサート端子ケース
８    ボンディングワイヤ
９    樹脂ケース
９ａ  樹脂ケースの内壁
１０    外部導出端子
１１    内部端子
１１ａ  内部端子の先端
１１ｂ  内部端子の表面
１２    外部端子
１２ａ  外部端子の先端
１３    上側の垂直樹脂部
１４    水平樹脂部
１４ａ  水平樹脂部の先端
１４ｂ  水平樹脂部の表面
１５    下側の垂直樹脂部
１６    溝
１７    Ｌ状段差部
１８    樹脂固定部
１８ａ  樹脂固定部の側壁
１８ｂ  樹脂固定部の上面
２０    リードフレーム
２１    端子連結部
２１ａ  貫通孔
２２,２６,２７,２８  凹部
２２ａ  端部
２３    金型
２４    上部金型
２５    下部金型
２６ａ  凹部２６の先端
２９    注入口
３０    樹脂液
３１    リードフレーム構造体
３３    凹部
３５    上部支持体
３５ａ  上部支持体の側壁
３６    切断刃
３７    下部支持体
３７ａ  下部支持体の側壁
４０    接続部
１００〜７００  本発明の半導体装置
８００    タイバーカット装置
Ｖ    切断個所
ＦP    加圧力
【図１】
0006413709.tif 000002
【図２】
0006413709.tif 000003
【図３】
0006413709.tif 000004
【図４】
0006413709.tif 000005
【図５】
0006413709.tif 000006
【図６】
0006413709.tif 000007
【図７】
0006413709.tif 000008
【図８】
0006413709.tif 000009
【図９】
0006413709.tif 000010
【図１０】
0006413709.tif 000011
【図１１】
0006413709.tif 000012
【図１２】
0006413709.tif 000013
【図１３】
0006413709.tif 000014
【図１４】
0006413709.tif 000015
【図１５】
0006413709.tif 000016
【図１６】
0006413709.tif 000017
【図１７】
0006413709.tif 000018
【図１８】
0006413709.tif 000019
【図１９】
0006413709.tif 000020
【図２０】
0006413709.tif 000021
【図２１】
0006413709.tif 000022
【図２２】
0006413709.tif 000023
【図２３】
0006413709.tif 000024